(57)【特許請求の範囲】
【請求項１】
顕微鏡本体を含む顕微鏡と、対象域照明のための対象域光源と、前記顕微鏡が取り付けられているスタンドとを含む装置であって、
前記スタンドは、前記顕微鏡を支持するために配置された複数の支持アームを含み、該支持アームは、室内での前記顕微鏡の位置決めのために調節可能であり、
前記顕微鏡及び前記スタンドの少なくとも１つは、内部の中空空間と、該中空空間から前記室への光通過用通過開口部と、該中空空間内に位置決めされた少なくとも１つの光源とを含み、該少なくとも１つの光源は、前記室内へ付設の前記通過開口部を通して外部に向かって光を放射するために配置されており、
付設の前記通過開口部は、前記少なくとも１つの光源から放射された光が、前記顕微鏡を通して観察される領域とは別に、前記顕微鏡又は前記スタンドの外側表面部を間接的に照明するように備え付けられており、
前記通過開口部は、前記顕微鏡本体又は前記スタンドにおける間隙又は溝穴として定められていること
を特徴とする装置。
【請求項２】
前記中空空間と、前記光通過用通過開口部と、前記少なくとも１つの光源とは、前記顕微鏡及び前記スタンドに各々設けられていること
を特徴とする、請求項１に記載の装置。
【請求項３】
前記少なくとも１つの光源は、放射された光の出力強度及び色の少なくとも１つについて調節可能であること
を特徴とする、請求項１に記載の装置。
【請求項４】
前記少なくとも１つの光源は、放射された光の出力強度及び色の少なくとも１つについて、時間的な経過パターンに応じて自動的に調節可能であること
を特徴とする、請求項３に記載の装置。
【請求項５】
付設の前記通過開口部は、前記室内へ放射された光が、前記顕微鏡が配置されている前記室を間接的に照明するように備え付けられていること
を特徴とする、請求項１に記載の装置。
【請求項６】
前記少なくとも１つの光源は、複数の光源を含むこと
を特徴とする、請求項３に記載の装置。
【請求項７】
複数の通過開口部が設けられており、該複数の通過開口部を通り、前記複数の光源によって放射された光が前記室内へ通過すること
を特徴とする、請求項６に記載の装置。
【請求項８】
前記顕微鏡は、手術用顕微鏡であること
を特徴とする、請求項１に記載の装置。
【請求項９】
前記顕微鏡は、歯科用顕微鏡であること
を特徴とする、請求項１に記載の装置。
【請求項１０】
前記スタンドの前記複数の支持アームは、平行四辺形支持器と、前記中空空間内に配置された複数の光源とを含むこと
を特徴とする、請求項２に記載の装置。
【請求項１１】
付設の前記通過開口部は、前記室内への直接的な光の放射を防止し且つ前記室内へ拡散光放射を発生させる表面形成部又はカバーを有すること
を特徴とする、請求項１に記載の装置。
【請求項１２】
付設の前記通過開口部の各々は、前記室内への直接的な光の放射を防止し且つ前記室内へ拡散光放射を発生させる表面形成部又はカバーを有すること
を特徴とする、請求項２に記載の装置。
【請求項１３】
付設の前記通過開口部は、光透過性のカバーを有すること
を特徴とする、請求項１に記載の装置。
【請求項１４】
前記光透過性のカバーは、放射された光を均質化するための光拡散器であること
を特徴とする、請求項１３に記載の装置。
【請求項１５】
前記少なくとも１つの光源は、ＬＥＤ、ＯＬＥＤ、レーザダイオード、ナノチューブからなるグループから選択されていること
を特徴とする、請求項１に記載の装置。
【請求項１６】
放射された光の出力強度及び色の少なくとも１つが自動で調節されており、自動で調節可能な光出力強度又は光色が、前記顕微鏡又は前記スタンドの様々な稼動状態又は稼動表示のグループから、特定の稼動状態又は稼動表示に割り当てられており、前記グループが、次の稼動表示、即ち、前記顕微鏡の倍率設定、前記顕微鏡のズーム設定、前記顕微鏡の一対の接眼レンズの視度設定、前記スタンド又は前記顕微鏡のバランシング状態、付属品の稼動スタンバイ状態を含んでいること
を特徴とする、請求項６に記載の装置。
【請求項１７】
前記光出力強度及び光色の少なくとも１つは、前記顕微鏡の倍率設定に対応すること
を特徴とする、請求項１６に記載の装置。
【請求項１８】
前記光出力強度及び光色の少なくとも１つは、前記顕微鏡の接眼レンズの選択された視度設定に対応すること
を特徴とする、請求項１６に記載の装置。
【請求項１９】
前記顕微鏡の非稼動時には前記光色が、殺菌性の又はバクテリアが嫌う光波長の範囲から自動的に選択されること
を特徴とする、請求項１６に記載の装置。
【請求項２０】
前記顕微鏡の一対の接眼レンズは、異なる視度設定に調節可能であり、前記顕微鏡本体又は前記スタンドの２つの異なる外面において２つの異なる光色が放射されること
を特徴とする、請求項１６に記載の装置。
【請求項２１】
前記顕微鏡の複数の稼動状態又は稼動表示は、１つの又は複数の異なる光色により同時に表示可能であること
を特徴とする、請求項１６に記載の装置。
【請求項２２】
センサを含み、該センサは、外部の室内照明の色温度及び光出力強度の少なくとも１つを測定するために配置されており、更に該センサは、該センサからの信号に応じた前記複数の光源により放射される光の光色及び光出力強度の少なくとも１つの適合のために、前記複数の光源に付設された制御電子装置と接続されていること
を特徴とする、請求項１６に記載の装置。
【請求項２３】
前記複数の光源により放射された光の光色は、外部の室内照明に対し、補色関係に適合されていること
を特徴とする、請求項２２に記載の装置。
【請求項２４】
前記顕微鏡は、前記顕微鏡本体の正面部に取り付けられた一対の接眼レンズを含み、前記顕微鏡本体は、前記正面部の反対側に後方部を含み、前記通過開口部は、前記顕微鏡本体の前記後方部における溝穴により定められていること
を特徴とする、請求項１に記載の装置。
【請求項２５】
前記複数の支持アームの１つは、前面端部を有し、前記通過開口部は、該１つの支持アームの前面端部における間隙により定められていること
を特徴とする、請求項１に記載の装置。
【請求項２６】
前記光通過用通過開口部は、上方に向かって配向されていること
を特徴とする、請求項１に記載の装置。
【請求項２７】
前記光通過用通過開口部は、下方に向かって配向されていること
を特徴とする、請求項１に記載の装置。
【請求項２８】
顕微鏡を支持するためのスタンドであって、該スタンドは、
複数の支持アームを含み、該支持アームは、室内での前記顕微鏡の位置決めのために調節可能であり、前記支持アームの少なくとも１つは、内部の中空空間と、該中空空間から前記室への光通過用通過開口部と、該中空空間内に位置決めされた少なくとも１つの光源とを有し、該少なくとも１つの光源は、前記室内へ付設の前記通過開口部を通して外部に向かって光を放射するために配置されており、
付設の前記通過開口部は、前記少なくとも１つの光源から放射された光が、前記顕微鏡を通して観察される領域とは別に、該スタンドの外側表面部を間接的に照明するように備え付けられており、
前記通過開口部は、該スタンドにおける間隙又は溝穴として定められていること
を特徴とするスタンド。
【発明の詳細な説明】
【技術分野】
【０００１】
本発明は、顕微鏡本体と、室内での顕微鏡の支持機能又は位置決めを実現するための複数の構成部品からなるスタンドとを備えた顕微鏡に関する。前記構成部品は、以下、まとめてスタンド(台架 Stativ)と称するものとする。このスタンドは、例えば平行四辺形支持器の形式の１つの又は複数の支持アームを含んでいる。
【背景技術】
【０００２】
（背景技術とその分析）
異なった種類の顕微鏡による観察すべき対象物の照明については多数の様々な技術が知られている。また、特に実体手術用顕微鏡（ないしステレオ手術用顕微鏡）であるが、例えば顕微鏡の様々な稼動状態（稼動の状態）又は稼動表示（稼動していることの表示）にも該当する追加的な情報をそのような顕微鏡の１つの又は複数の観察光路内へ入射させる技術も知られている。
【０００３】
従って従来の顕微鏡は、通常、観察すべき対象域を照明するための光源をもっている。この際、顕微鏡或いはそのスタンドの構造及び機能方式はさほど重要ではない。同様に顕微鏡はこれまで、顕微鏡の置かれた室（ないし空間）用の光源としては用いられず、通常、顕微鏡に関する情報は、ディスプレイ内や別個の調節要素や表示要素などで読取可能なだけであった。
【０００４】
特許文献１は、対象域を照明する発光ダイオードが顕微鏡本体或いはスタンドに使用されている顕微鏡を示している。従ってそれらの発光ダイオードは対象域照明装置として用いられている。
【０００５】
特許文献２は、偏向ミラーを介して対象域を照明する光源が顕微鏡本体内に配置されている顕微鏡を示している。従って同様にここでも、別の役割を伴わない対象域照明装置が取り扱われている。
【０００６】
特許文献３は、位相差顕微鏡を示していて、対象域用のその照明装置はスタンド内に格納されていて、そこから顕微鏡本体内へ指向され、そこからミラーを介して対象域へと向けられている。ここでも照明装置においては対象域照明装置だけが取り扱われている。
【先行技術文献】
【特許文献】
【０００７】
【特許文献１】DE 102005036230 B3
【特許文献２】DE 102007051909 A1
【特許文献３】US 2766655 A1
【発明の概要】
【発明が解決しようとする課題】
【０００８】
それにより本発明の一側面において、顕微鏡或いはそのスタンドにおける既存のハウジングを最大限活用し、改良された装置を有する顕微鏡を提供することを一つの課題とする。
【０００９】
本発明は、他の側面において、より詳しくは、顕微鏡或いはそのスタンドを汎用的に使用し、顕微鏡或いはそのスタンドを、室内照明又は顕微鏡或いはそのスタンドの照明（顕微鏡により観察すべき領域を除く）のためにも、場合により別の情報目的用の光のためにも利用可能とするという一課題を有する。
【課題を解決するための手段】
【００１０】
本発明の一視点により、顕微鏡本体の内部及び／又はスタンドの内部に少なくとも１つの光源が配置されていて、その光は稼動状態において顕微鏡照明に依存せず通過開口部を通じて外部に向って室内へと放射される。その光は対象域照明には用いられない。
より詳しくは、本発明の第１の視点により、顕微鏡本体を含む顕微鏡と、対象域照明のための対象域光源と、前記顕微鏡が取り付けられているスタンドとを含む装置であって、前記スタンドは、前記顕微鏡を支持するために配置された複数の支持アームを含み、該支持アームは、室内での前記顕微鏡の位置決めのために調節可能であり、前記顕微鏡及び前記スタンドの少なくとも１つは、内部の中空空間と、該中空空間から前記室への光通過用通過開口部と、該中空空間内に位置決めされた少なくとも１つの光源とを含み、該少なくとも１つの光源は、前記室内へ付設の前記通過開口部を通して外部に向かって光を放射するために配置されており、付設の前記通過開口部は、前記少なくとも１つの光源から放射された光が、前記顕微鏡を通して観察される領域とは別に、前記顕微鏡又は前記スタンドの外側表面部を間接的に照明するように備え付けられており、前記通過開口部は、前記顕微鏡本体又は前記スタンドにおける間隙又は溝穴として定められていることを特徴とする装置が提供される。
また本発明の第２の視点により、顕微鏡を支持するためのスタンドであって、該スタンドは、複数の支持アームを含み、該支持アームは、室内での前記顕微鏡の位置決めのために調節可能であり、前記支持アームの少なくとも１つは、内部の中空空間と、該中空空間から前記室への光通過用通過開口部と、該中空空間内に位置決めされた少なくとも１つの光源とを有し、該少なくとも１つの光源は、前記室内へ付設の前記通過開口部を通して外部に向かって光を放射するために配置されており、付設の前記通過開口部は、前記少なくとも１つの光源から放射された光が、前記顕微鏡を通して観察される領域とは別に、該スタンドの外側表面部を間接的に照明するように備え付けられており、前記通過開口部は、該スタンドにおける間隙又は溝穴として定められていることを特徴とするスタンドが提供される。
【発明の効果】
【００１１】
本発明により前記課題が解決される。即ち、顕微鏡或いはそのスタンドにおける既存のハウジングを他の目的にも最大限活用し、汎用的に使用でき、間接的な室内照明も、患者の気を逸らすことも、顕微鏡の稼動状態又は稼動表示も、更には顕微鏡又はそのスタンド自体の空間的な広がり具合も簡単に描写或いは外見上可視化することができる。本発明の一視点に従い、顕微鏡本体及び／又はスタンドの少なくとも１つの中空空間内に光源が配置されていて、その光は１つの又は複数の通過開口部を通じて外部に向って室内へと達することができる。
【００１２】
この際、光源と通過開口部は、これらが（例えば薄暗い時に）顕微鏡及び／又はスタンドの空間的な知覚だけを改善するように構成することができる。
【００１３】
この際、光源と通過開口部は、これらが異なる光強度又は光色に基づき顕微鏡又はスタンドの異なる外観（ないし外見）をシミュレートするように構成することができる。
【００１４】
この際、光源と通過開口部は、これらが時間的に変化可能な光演出パターン(Lichtspiel)として患者の気を逸らすため、従って処置安全性の向上のために用いられるように構成されることができる。
【００１５】
光色のバリエーションは、最善策では、前置可能な色フィルタを介し、又は必要に応じて所望の色混合で駆動されるカラー発光ダイオードの使用により行われる。
【００１６】
この際、光源と通過開口部は、これらが間接的な室内照明のために用いられるように構成することができる。
【００１７】
この際、光源と通過開口部は、これらが異なる光色に基づき使用者に対して（色）信号を放出する及び／又は顕微鏡又はスタンドの知覚可能な外観を変更するように構成することができる。
【００１８】
間接的な外部照明のためのこの照明装置は、場合により、複数の光源と、顕微鏡本体外或いはスタンド外の室内へその光を通過させるための複数の通過開口部とを含んでいる。
【００１９】
今までは、例えば外側に装着されているＬＥＤ（発光ダイオード）のような外側の信号ランプは別とし、外側の顕微鏡本体又はスタンドにおいて、顕微鏡本体又はスタンドの変更可能な外観の描写、又は顕微鏡の様々な稼動状態又は稼動表示を表示することのできる技術や装置、及び／又は外側の顕微鏡本体又はスタンドにおいて、間接的な室内照明のための手段を提供する技術や装置は知られていない。
【００２０】
しかしそのような追加的な表示可能性は、検知された顕微鏡画像に依存せず、即ち観察された対象物の記録に依存せず、使用者自身のためだけでなく、顕微鏡の設置室内にいる別の人のためにも、例えば特に患者に対しても、顕微鏡の設定された稼動状態又はその変更を可視化するために望まれることである。
【発明を実施するための形態】
【００２１】
光源は、好ましくは変更可能、特に好ましくは時間的に変更可能である。
【００２２】
通過開口部は、好ましくは、出射光が顕微鏡又はそのスタンド又は顕微鏡のある室の間接的な外部照明として用いられるように備え付け又は形成されている。
【００２３】
更に、光色及び／又は光強度が調節（ないし設定）可能及び／又は選択可能であることは有利である。
【００２４】
顕微鏡は、好ましくは手術用顕微鏡又は歯科用顕微鏡である。
【００２５】
好ましくは、少なくとも１つの（光学的な）通過開口部が、室内への直接的な光放射を防止し且つ拡散光放射を発生させる表面形成部を有する。このことは、例えば、通過開口部における特別な形状構成（例えば金属プレートカバー）又は光学構成（例えば乳白ガラスディスクとして）により、又は光源の特有の配置構成により、又は例えば通過開口部の制限部における適切な表面粗度により行うことができ、通過開口部では、外部照明のために設けられている光源の光の拡散散乱が行われる。光通過のために拡散散乱式の表面又は拡散散乱式の通過開口部を構成する技術的な可能性は、当業者にとってそれ自体知られている。
【００２６】
基本的に、光学的な通過開口部は、全顕微鏡又は全スタンドの領域に配置することができる。好ましくは、通過開口部は顕微鏡本体又はスタンドの平行四辺形支持器に配置されている。
【００２７】
好ましくは、少なくとも１つの光学的な通過開口部が間隙又は溝穴として顕微鏡本体又はスタンドに形成されている。それらは、好ましくは多数の細長い間隙又は溝穴である。
【００２８】
例えば、塵粒子や別の種類の空気汚染物質が僅かな量でも顕微鏡又はその構成部品内へ進入することを防止するために、好ましくは、前記少なくとも１つの通過開口部が光透過性（ないし透明性）のカバーを用いて閉じられている。このことは、好ましくは、カバー自体が、出射光を均質化するための光拡散器として形成されていることにより達成することができる。この場合、この光拡散器は、光源に隣接し、顕微鏡本体又はスタンドの内部にも配置することができる。
【００２９】
間接的な外部照明のための光源としては、好ましくは無機発光ダイオード（ＬＥＤ）、有機発光ダイオード（ＯＬＥＤ）又は所謂「ナノチューブ」などが使用される。同様にレーザダイオードも対象となり得て、レーザダイオードは、そのスペクトル光線・配向性に基づき有利である。
【００３０】
外部照明のために使用される１つの又は複数の光源の光色も変更可能、及び／又は自由に選択可能であることは有利である。このことは、好ましくは自動制御式で行われる。つまり例えば様々な色の発光ダイオードが、所定の光色を作り出すために選択的に又は一緒に駆動される。
【００３１】
この際、好ましくは、所定の光色及び／又は光強度又はその変更は、顕微鏡或いは顕微鏡の前記の機械的な構成部品の所定の稼動状態、及びそのような稼動状態の変更に割り当てられている。この種の表示すべき稼動状態又は稼動表示或いはその変更は、例えば、顕微鏡の設定倍率、顕微鏡の接眼レンズの視度調節（ないし視度設定）、顕微鏡のスタンドのバランシング状態、カメラのような付属品の稼動スタンバイ状態、ビデオ記録の実行（状態）、対象物照明用の照明装置の残りの寿命などに該当する。
【００３２】
スタンド或いは顕微鏡又は別の機械的な顕微鏡構成部品又は顕微鏡付属品のバランシングは、例えば力センサ又はトルクセンサにより行われ、それらのセンサは制御電子装置と接続することができ、この制御電子装置を用い、外部照明用の１つの又は複数の光源も駆動される。
【００３３】
顕微鏡の対象物照明用の光源の残りの寿命は、例えば、外部照明装置の制御電子装置内に読み込まれているテーブル値から、例えば表形式の衰退曲線に従い、又は感光性センサにより実際に測定された光強度値と、記憶されている規定値との比較に従い、読み取ることができる。
【００３４】
例えばカメラのような顕微鏡電子付属品の稼動スタンバイ状態は、例えば同様に電子制御ユニットへのその電子応答信号として読み取ることができる。従って有利には照明装置には、マイクロプロセッサ又はコンピュータにより制御される制御電子装置が割り当てられている。
【００３５】
表示すべき様々な稼動状態又は稼動表示の一グループから、以下の可能性が特に有利とされる：
−  光色により、顕微鏡の設定倍率が表示される。
−  光色により、ズームの稼動状態又は顕微鏡の接眼レンズの視度調節（ないし設定）が表示される。
−  顕微鏡が、別個に異なって調節可能な視度調節機能を備えた２つの接眼レンズを有する慣例の場合、顕微鏡本体又はスタンドの２つの異なる外面において異なる光色を発生可能とすることは有利である。
【００３６】
１つの又は複数の異なる光色が同時に顕微鏡の複数の稼動状態又は稼動表示を表示可能とすることにより傑出する本発明の実施形態は特に有利である。
【００３７】
また、少なくとも１つのセンサが設けられていて、このセンサが、外部の室内照明の色温度及び／又は光強度を測定し、それに対応し、光源の光色及び／又は光強度を制御電子装置を介して適合（例えばカメレオン機能）することも有利である。
【００３８】
また、外部の照明用の照明装置により発生された光色が、例えば外部の室内照明の色に対し、補色関係にあることも有利である。
【００３９】
本発明に従う顕微鏡は、好ましくは魅力的なデザインで作られ、コンパクトな構造で構成されている。有利にはそのために必要なスペースは僅かである。この印象は光の選択により追加的に支援され得る。
【００４０】
前記の技術的な長所に並び、本発明及び本発明に従う前述の実施形態は、利用者のための以下の長所により傑出している。
【００４１】
−  本発明に従う顕微鏡の外観形態を提供する外的構成は、例えば歯科診療所内の空間的な周辺部に対して適合させることができる。今までは、塗料塗装又は別の表面構成手段で処理された表面又は未処理の表面を有するスタンド又は顕微鏡本体及びその支持アームが知られていた。しかし、表面の見え方及び外観の見え方に関し、時間的及び／又は色的に変化可能な構成のために、機器の間隙又は溝穴から出て且つ間接的に放射された光による間接的な照明の利用は、知られていない。
【００４２】
−  間接的な外部照明の手段により、従来の顕微鏡に比べ、診療所又は手術室内の機器の視覚的に知覚すべきスペース要求に影響を及ぼすことができる。本発明は、外部照明のオン／オフ、輝度の調整、及び／又は光色の選択により、顕微鏡の外観（ないし容姿）、特に歯科用顕微鏡又は手術用顕微鏡の外観を、利用者の要望又は室の実情に適合させることを可能にする。
【００４３】
−  例えば医師診療所や歯科医診療所のような清潔さの要求が高い環境においては、外部照明用の青色の光色が好ましく、その理由は、青い光は、経験上、衛生状態についてポジティブな印象を強調し、それに加え、バクテリアが青の色調を避けるためである。従って青の色調はバクテリアが嫌う色である。更にＵＶ領域へと達する短波長の光は殺菌性であり、従って人がいない場合、本発明に従い装備された顕微鏡を殺菌状態へと移行することができる。
【００４４】
−  従って、純粋に技術的な効果に並び、部品又はカバーの交換や新たな塗料塗装を用いることなく、色に関する表面構成の変更も可能であり、それにより顕微鏡及びスタンドを利用者及び室内設備の要望に動的に適合させることができる。
【００４５】
本発明の各々の形態を総括して以下に記載する。尚、特許請求の範囲に付記されている図面参照符号は専ら本発明の理解の容易化のためのものであり、本発明を図示の実施例に限定することを意図するものではないことをここで明示する。
（形態１）
顕微鏡本体と、室内での顕微鏡の支持機能又は位置決めを実現するための複数の構成部品からなるスタンドとを備え、顕微鏡本体及びスタンド内に中空空間を備えた顕微鏡であって、顕微鏡本体及び／又はスタンドの少なくとも１つの中空空間内に光源が設けられていて、その光が稼動状態において顕微鏡本体及び／又はスタンドの通過開口部を通じ、これらを取り囲む室内へ放射され、出射する前記光が顕微鏡及び／又はそのスタンドの間接的な外部照明として用いられるように通過開口部が備え付けられていて、少なくとも１つの通過開口部が間隙又は溝穴として顕微鏡本体又はスタンドに形成されていること。
（形態２）
形態１に記載の顕微鏡において、前記光源の光出力及び／又は光色が、好ましくは時間的な経過パターンをもって自動的に、調節可能及び／又は変更可能或いは選択可能であるように前記光源が制御されている或いは制御可能であること。
（形態３）
形態１又は２に記載の顕微鏡において、周りの室内へ放射される前記光が、顕微鏡が配置されている室の好ましくは間接的な照明として用いられるように、前記少なくとも１つの通過開口部が備え付けられていること。
（形態４）
形態１〜３のいずれか一項に記載の顕微鏡において、複数の光源が設けられていて、該光源を用い、照明の光色及び／又は光強度が個別に調節可能及び／又は選択可能であること。
（形態５）
形態１〜４のいずれか一項に記載の顕微鏡において、複数の光源、及び／又は室内へ該光源の光を通過させるための複数の通過開口部が設けられていること。
（形態６）
形態１〜５のいずれか一項に記載の顕微鏡において、当該顕微鏡が手術用顕微鏡又は特に歯科用顕微鏡として形成されていること。
（形態７）
形態１〜６のいずれか一項に記載の顕微鏡において、前記スタンドが可動式の支持アーム又は平行四辺形支持器を含んでいて、これらには各々光源が配置されていて、それらの光が稼動状態において、支持アーム及び平行四辺形支持器における構造上設けられた通過開口部及び間隙を通じ、室内へ放射されること。
（形態８）
形態１〜７のいずれか一項に記載の顕微鏡において、前記少なくとも１つの通過開口部が、室内への直接的な光放射を防止し且つ拡散光放射を発生させる表面形成部又はカバーを有すること。
（形態９）
形態１〜８のいずれか一項に記載の顕微鏡において、前記通過開口部が顕微鏡本体にもスタンドにも形成されていること。
（形態１０）
形態１〜９のいずれか一項に記載の顕微鏡において、前記少なくとも１つの通過開口部が光透過性のカバーを用いて閉じられていること。
（形態１１）
形態１０に記載の顕微鏡において、前記カバーが、光を均質化するための光拡散器として形成されていること。
（形態１２）
形態１〜１１のいずれか一項に記載の顕微鏡において、前記少なくとも１つの光源がＬＥＤ又はＯＬＥＤ又はレーザダイオード又はナノチューブとして形成されていること。
（形態１３）
形態４〜１２のいずれか一項に記載の顕微鏡において、前記光色及び／又は光強度が自動で設定可能であり、自動で設定可能な光色が、顕微鏡又はそのスタンドの様々な稼動状態又は稼動表示のグループから、所定の定義された稼動状態又は稼動表示に割り当てられていて、前記グループが、次の稼動状態又は稼動表示、即ち、顕微鏡の設定倍率、ズーム位置、顕微鏡の接眼レンズの視度設定、センサを用いて測定されたスタンド或いは顕微鏡のバランシング状態、例えばカメラなどの付属品の稼動スタンバイ状態、ＵＶプラスチック硬化光源の稼動スタンバイ状態、ビデオ記録の実行、対象物照明用の照明装置の残りの寿命などを含んでいること。
（形態１４）
形態４〜１３のいずれか一項に記載の顕微鏡において、前記光色及び／又は光強度が顕微鏡の設定倍率に対応すること。
（形態１５）
形態４〜１４のいずれか一項に記載の顕微鏡において、前記光色及び／又は光強度が、顕微鏡の接眼レンズの選択された視度設定に対応すること。
（形態１６）
形態２〜１５のいずれか一項に記載の顕微鏡において、当該顕微鏡の非稼動時、或いは室内に人がいない時には前記光色が、殺菌性の又はバクテリアが嫌う光波長の範囲から自動的に選択されること。
（形態１７）
形態４〜１６のいずれか一項に記載の顕微鏡において、当該顕微鏡が、異なって調節可能な視度調節機能を備えた２つの接眼レンズを有し、及び／又は顕微鏡本体又はスタンドの２つの異なる外面において異なる光色を発生可能であること。
（形態１８）
形態４〜１７のいずれか一項に記載の顕微鏡において、１つの又は複数の異なる光色により同時に顕微鏡の複数の稼動状態又は稼動表示が表示可能であること。
（形態１９）
形態４〜１８のいずれか一項に記載の顕微鏡において、少なくとも１つのセンサが設けられていて、該センサが、外部の室内照明の色温度及び／又は光強度を測定し、前記光源の光色及び／又は光強度を自動で適合させるか、又は光色及び／又は光強度の適合のために、前記光源に割り当てられている制御電子装置へと伝送すること。
（形態２０）
形態４〜１９のいずれか一項に記載の顕微鏡において、発生された前記光色が、周辺部の色に対し、補色関係にあること。
（形態２１）
形態１〜２０のいずれか一項に記載の顕微鏡において、光通過開口部として少なくとも１つの間隙がスタンドに形成されていること。
（形態２２）
形態１〜２１のいずれか一項に記載の顕微鏡において、顕微鏡本体において接眼レンズの反対側の後側面に、光出射のための開いた細隙形状の開口部が配置されていること。
（形態２３）
形態１〜２２のいずれか一項に記載の顕微鏡において、スタンドの支持アームの少なくとも１つの前面端部側において光出射のための間隙が設けられていること。
（形態２４）
形態１〜２３のいずれか一項に記載の顕微鏡において、光通過開口部及び間隙の少なくとも一部が外方及び上方に向かって配向されていること。
（形態２５）
形態１〜２４のいずれか一項に記載の顕微鏡において、光通過開口部及び間隙の少なくとも一部が外方及び下方に向かって配向されていること。
【００４６】
本発明の更なる構成及びそれらの変形例は、添付の図面並びに従属請求項に記載されている。
【００４７】
符号リストは本明細書の開示内容の一部として末尾に掲載されている。
【００４８】
以下、図面に記した実施例に基づき、本発明を詳細に説明する。
【００４９】
図面は互いに関連し且つ広範に記載されている。同じ符号は同じ構成部品を示し、異なるインデックスを有する符号は、機能的に同じ又は類似の構成部品を示している。尚、以下の実施例は、本発明の理解の容易化のためのものであって、本発明の技術的思想を逸脱しない範囲において当業者により実施可能な付加や置換などを排除することを意図するものではないことを付言する。
【図面の簡単な説明】
【００５０】
【図１】スタンドに配置され３つの自由度で調節可能な歯科用顕微鏡の第１実施例の装置であり、前記スタンドは、ローラを備えたスタンド台座と、３本の支持アームが配置されている鉛直方向の支持支柱とからなり、３番目の支持アームに歯科用顕微鏡が配置されていて、また全装置は照明可能な室内に置かれている。
【図２】図１の歯科用顕微鏡を拡大して示す図である。
【図３】図２によるIII-III面での歯科用顕微鏡のハウジング本体の鉛直方向断面を示す図であり、ここでは両側面に各々１つの開いた光出射開口部が示されている。
【図４】図３に対応するハウジング本体の鉛直方向断面を示す図であり、ここで図面の左側では、開いた光出射開口部が示されていて、それに対する変形例として図面の右側では、光拡散体としての透過性プレート（ないしディスク）を用いて防塵性をもって閉じられた光出射開口部が示されている。
【図５】図３及び図４に対応するハウジング本体の他の例の鉛直方向断面を示す図であり、ここでは両方の光通過開口部が光拡散ガラス板で覆われている。
【図６】図１による歯科用顕微鏡のハウジング本体の変形例の側面図を示す図である。
【図７】図６による歯科用顕微鏡のハウジング本体をVI-VI面での鉛直方向断面として示す図である。
【図８】図７に対応し、歯科用顕微鏡の別のハウジング本体の変形例を鉛直方向断面として示す図であり、ここでは光出射開口部にその幅を調節するためにシールド部品が設けられている。
【図９】平行四辺形支持アームとして形成されている第２支持アームの領域で、スタンドにおける照明装置を、図１によるIX-IX面での鉛直方向断面として示す図である。
【図１０】図１によるスタンド上部の変形例を示す図であり、ここではスタンド支柱に旋回可能に配置されている第１支持アームが間接照明装置を有している。
【図１１】図１０によるXI-XI面での鉛直方向断面を示す図であり、ここでは各々側方に配置された二列の光源の形式の間接照明装置が示されている。
【図１２】図１１による実施例に対する変形例を示す図であり、ここでは中央の一列の光源の形式の間接照明装置が示されている。
【図１３】図１２に対応する歯科用顕微鏡を示す図であり、ここでは後側の光出射部が部分的な破断図により図示されている。
【実施例】
【００５１】
図１では、歯科用顕微鏡１がスタンド２において３つの自由度（DOF: degree of freedom）で調節可能に配置されている。この際、スタンド２は、ローラ移動可能な台座３と、支持支柱４と、第１支持アーム５と、第２支持アーム６と、第３支持アーム７とから構成されている。この際、支持アーム５、６、７はジョイント８、９を用いて互いに連結されている。
【００５２】
この全装置は、処置室として用いられる室１１内に配置されていて、室１１は所謂外部の室内照明装置１２を有している。
【００５３】
歯科用顕微鏡１は、接眼レンズ１４を備えたヘッド部品１３を有し、ヘッド部品１３は顕微鏡本体１５に取り付けられている。
【００５４】
特に図２及び図３に示されているように顕微鏡本体１５の中空空間１６内には、例えば３つのＬＥＤ（発光ダイオード）の形式の複数の光源１７が配置されていて、それらの光線は側方の通過開口部１８を通じて壁部から、多かれ少なかれ下方に向かって出射され（鉛直方向に対して）傾斜のつけられた壁部分１９ａで部分的に反射する。この際、顕微鏡本体１５の側壁部１９も室１１内のその周辺部も照明され、このことは、飛び飛びの照明により顕微鏡１の外観形状（ないし外見）に有利に影響を及ぼし、また処置周辺部及び顕微鏡の位置に対し、半暗くされた室１１内でも、人間工学的に有利な影響を及ぼす。
【００５５】
この際、顕微鏡本体１５に配置されているセンサ２１が、外部の室内照明装置１２により与えられている室１１内の光強度を測定し、適切に予め設定されているパラメータに応じ、光源１７の光色と光強度を制御電子装置を介して調整する。
【００５６】
また光源１７の光強度の調整は、例えば顕微鏡本体１５の回転つまみ２２により手動でも行うことができる。
【００５７】
特に図３に示されているように、ここでは光源１７の光線１７ａが下方に向かって出射し、壁部１９の傾斜部分１９ａにより室１１内へ反射され、それにより顕微鏡本体１５も室１１も照らしている。
【００５８】
図４には光通過開口部について２つの実施例が図示されている。図４の左側には、開いた細隙形状の開口部を示す図３による実施例が図示されている。この実施例は、例えば処置者の反対側の室１１の照明に適していて、この照明は背景の最大輝度調整を可能とする。図４の右側では、光出射開口部２４が、光拡散特性をもった光透過性（ないし透明性）の曇りディスク２５により防塵性をもって閉じられていて、その曇りディスク２５は、ポケット或いは凹部２６内に、外部に向かって壁部１９と面一の状態で挿入されている。従って顕微鏡本体１５の壁部１９は、室１１を、好ましくは処置者の側に向かい、拡散し且つ均質化された光で照明する広面の発光体になる。選択的に両方の壁部１９、即ち図４の左側と右側の壁部に、光拡散特性をもった発光体としての曇りディスク２５を装備することもできる。
【００５９】
図５には、光通過開口部２７がカバープレート（ないしディスク）２８で防塵性をもって閉じられている実施形が示されている。これらの光通過開口部２７は光拡散特性を有し、その結果、光線は多数の光線１７ｃへと分散している。この際、光線１７ｃの一部は直接的に室１１内へ入射し、他の部分は、先ず、傾斜のつけられた壁部分１９ａで反射される。
【００６０】
複数の光源１７は、ここでは例えば中央において列をなして配設され、これらの光源１７が顕微鏡光路の作業領域内へは達しないように、中空空間１６内に配置されている。中空空間１６の壁部１９及び３１の内側表面２９には反射器を装備することができ或いは鏡面化を実施することができる。
【００６１】
図６には、顕微鏡１５が操作域３２の領域において詳細に図示されている。この際、例えば、符号３３では対物レンズ３７の調節部品が、符号３４では光源１７の制御部品が、符号３５では室内照明装置１２の制御部品が示されている。光出射用の開口部１８は、ここでは長手細隙として斜めに且つ（緩やかな）凸状で左上側から右下側へ延在している。
【００６２】
図７が示すように、顕微鏡本体１５の両側において壁部１９、１９ａの間には通過開口部１８内へ光透過性の光案内要素３６が挿入されていて、これらの光案内要素３６は、一方では防塵性の密閉のために、他方では、その拡散特性に基づき、分散する光線１７ｂ、従って均質化された照明をもたらしてくれる。
【００６３】
図６及び図８が示すように、通過開口部１８の幅Ｂの調節を実現するために、通過開口部１８にアングル部品３８を備えることができる。
【００６４】
図１及び図９〜図１２には、支持アーム６及び５における間接的な照明用の光源１７の配置構成が図示されている。
【００６５】
図１及び図９が示すように、支持アーム６は平行四辺形連結アームとして形成されていて、このアームは、顕微鏡１の高さ調節時に一定の鉛直方向の案内を確保する。支持アーム６は、互いに平行に配置されている２つのアーム部分から構成され、この際、上側アーム部分は符号４１で、下側アーム部分は符号４２で示されている。
【００６６】
ベースプレート４４と２つのサイドプレート４５及び４６とを備えたＵ字形状のシールドカバー４３がジョイント８のハブ８ａ（図１）に対し、ベースプレート４４が下側のアーム部分４２の下側で間隔４７をもって位置するように取り付けられている。それにより形成されているこの自由空間４９内に複数の光源１７の形式の間接照明装置が配置され、この際、二列の光源１７の列が、光を上方に向け、アーム部分４１及び４２から形成されている支持アーム６と、サイドプレート４５及び４６との間の間隙４８を通じて案内し、それにより両方のアーム部分４１及び４２の側面をも照明する。
【００６７】
第１支持アーム５における間接照明装置は、上記の構成に対応して形成されている。この際、図１０及び１１に図示されているように、第１支持アーム５には下側領域においてＵ字形状のシールド部材５２が備え付けられていて、このシールド部材５２の形状は支持アーム５の先細りのデザインに従っている。
【００６８】
ベースプレート５３には二列の光源１７の列が設けられていて、これらの光源１７は、光を上方に向け、各々の狭い間隙５４を通じて放射している。この際、シールドカバーの内側表面５５は反射式で構成され、その結果、間接的な多数の光線５６が何度も反射され、上方に向って出射することができ、その際には第１支持アーム５の側壁をも照明する。右側の端部領域（図１０）においてシールド５２は支持アーム５から突出し、間隙５７を形成して実施されていて、その結果、ここでも間接的な光が出射することができる。
【００６９】
図１２には、図１１に対する変形例が図示されていて、ここでは、一条の複数の光源１７の列がＵ字形状のシールド部材５２のベースプレート５３の中央に配置されている。この際、多数の光線５６は、２つの側面に向い、支持アーム５の下側面５８及びベースプレート５３の内側の上側面５９で何度も反射される。
【００７０】
図１３では、顕微鏡本体１５の後側において光出射のための開口部１８が設けられている様子が破断図により示されている。ここでは、互いにずらされて配置されている後壁６１及び６２が、双方が互いに取り囲むように別の細隙形状の開口部６３を形成し、その結果、顕微鏡本体１５は３側面において間接的な光出射のための通過開口部１８、６３、１８を備えている。
【符号の説明】
【００７１】
１      顕微鏡、好ましくは歯科用顕微鏡
２      スタンド
３      台座
４      支持支柱
５      第１支持アーム
６      第２支持アーム
７      第３支持アーム
８      ジョイント
８ａ    ジョイント８のハブ
９      ジョイント
１１    室
１２    室内照明装置（所謂外部の）
１３    顕微鏡１のヘッド部品
１４    接眼レンズ
１５    顕微鏡本体
１６    顕微鏡本体１５の中空空間
１７    光源（発光ダイオード）
１７ａ  光線（直接的な反射）
１７ｂ  光線（均質化された光）
１７ｃ  光線（分散している）
１８    通過開口部（壁部１９で細隙形状）
１９    壁部
１９ａ  傾斜のつけられた壁部分
２１    センサ
２２    光制御用の回転つまみ
２４    光出射開口部
２５    透過性の曇りガラス（光拡散特性及び光均質化特性をもつ）
２６    ポケット、凹部、把持具
２７    光通過開口部
２８    カバープレート
２９    内側表面（鏡面化されている）
３１    顕微鏡本体１５の壁部（上側）
３２    操作域
３３    対物レンズ３７用の調節手段
３４    光源１７用の制御手段
３５    室内照明装置１２用の制御手段
３６    光案内要素（光拡散特性をもつ）
３７    対物レンズ
３８    アングル部品（開口部１８の幅を調節するため）
４１    第２支持アーム６の上側アーム部分
４２    第２支持アーム６の下側アーム部分
４３    Ｕ字形状のシールドカバー
４４    シールドカバー４３のベースプレート
４５    シールドカバー４３のサイドプレート
４６    シールドカバー４３のサイドプレート
４７    間隔
４８    間隙
４９    自由空間
５１    間接的な光放射
５２    シールド部材
５３    ベースプレート
５４    間隙
５５    内側表面
５６    多数の光線
５７    間隙
５８    下側面
５９    上側面
６１    顕微鏡本体１５の上側の後壁
６２    顕微鏡本体１５の下側の後壁
６３    細隙形状の開口部
Ｂ      開口部１８の幅（図８）
【図１】
0005426493.tif 000002
【図２】
0005426493.tif 000003
【図３】
0005426493.tif 000004
【図４】
0005426493.tif 000005
【図５】
0005426493.tif 000006
【図６】
0005426493.tif 000007
【図７】
0005426493.tif 000008
【図８】
0005426493.tif 000009
【図９】
0005426493.tif 000010
【図１０】
0005426493.tif 000011
【図１１】
0005426493.tif 000012
【図１２】
0005426493.tif 000013
【図１３】
0005426493.tif 000014